(57)【要約】【課題】従来の糊付機では、壁紙に付与される張力を変更するためには、張力装置を取り替えたり、また、糊付作業を停止して張力装置の調整を行わなければならないという課題があった。【解決手段】定位置で回動するガイドローラー２２と、ガイドローラー２２との間で、壁紙Ａを交叉してガイドし、原反ロール１６から繰出される壁紙Ａの引出し力の増減に連動して自動的に変位し、ガイドローラー２２とで壁紙Ａに付与される張力を調整する回動ステー２０からなる壁紙糊付機における張力付与装置。【選択図】図２
2006159496.tif 000002
【特許請求の範囲】
【請求項１】
原反ロールと壁紙糊付機本体間に設けられ、原反ロールから繰出される壁紙に張力を付与する壁紙糊付機における張力付与装置であって、張力付与装置は、定位置で回動するガイドローラーと、ガイドローラーとの間で、壁紙を交叉してガイドし、原反ロールから繰出される壁紙の引出し力の増減に連動して自動的に変位し、ガイドローラーとで壁紙に付与される張力を調整する回動部材であることを特徴とする壁紙糊付機における張力付与装置。
【請求項２】
回動部材は、原反ロールから繰出される壁紙の引出し力の増減に連動して変位し、ガイドローラーとの間隔を自動的に変更することを特徴とする請求項１記載の壁紙糊付機における張力付与装置。
【請求項３】
回動部材は、一端が張力付与部材と係着し、回動支点を中心に回動する回動レバーに軸支され、壁紙に当接して、壁紙に常時張力を付与する回動ステーであることを特徴とする請求項１または２記載の壁紙糊付機における張力付与装置。
【請求項４】
ガイドローラーの回転中心と回動レバーの回動支点を偏芯して設けたことを特徴とする請求項３記載の壁紙糊付機における張力付与装置。
【請求項５】
ガイドローラーの回転中心と回動レバーの回動支点を同軸上に設けたことを特徴とする請求項３記載の壁紙糊付機における張力付与装置。
【請求項６】
ガイドローラーの上部に、原反ロールから繰出される壁紙の引出し力の増減に連動して、ガイドローラーに対する接圧力を変更するブレーキ装置を設けたことを特徴とする請求項１〜５いずれかに記載の壁紙糊付機における張力付与装置。
【請求項７】
ブレーキ装置は、ガイドローラーの上方に設けられ、一端に回動支点を、他端には、回動レバーとの間でバネ手段が張設されるブレーキレバーと、ブレーキレバーの中央部に設けられ、ガイドローラーと接触するブレーキシューであることを特徴とする請求項６記載の壁紙糊付機における張力付与装置。
【請求項８】
ガイドローラーと回動ステー間で、壁紙が移動する間隔を残して回動ステーが停止するように、回動レバーの回動を停止するストッパーを設けたことを特徴とする請求項３〜７いずれかに記載の壁紙糊付機における張力付与装置。
【請求項９】
回動ステーとガイドローラーが水平状態となる位置で、回動レバーの回動を停止するストッパーを設けたことを特徴とする請求項８記載の壁紙糊付機における張力付与装置。
【請求項１０】
張力付与装置を、壁紙糊付機本体に着脱可能に付設される巾裁装置に取設したことを特徴とする請求項１〜９いずれかに記載の壁紙糊付機における張力付与装置。
【発明の詳細な説明】
【技術分野】
【０００１】
本発明は、壁紙糊付機において、壁紙の蛇行・シワ等の発生を防止し、巾裁装置で壁紙を真っ直ぐに切断するために設けられる張力付与装置に関するものである。
【背景技術】
【０００２】
壁紙糊付機には、原反ロールから供給される壁紙の弛みの発生を防止し、巾裁時の寸法安定性を確保し、蛇行・シワなどの発生を防ぎ、均一な糊付を行う等の目的のために、張力付与装置が取り付けられている。
【０００３】
この張力付与装置としては、従来から図７に示すように、壁紙糊付機１の脚部３に１箇所又は２箇所のステー１７を通し、その間に壁紙を通して、壁紙に摩擦抵抗を付与する張力付与装置が使用されている。（特許文献１参照）
また、最近では、これを改良したものとして、原反ロールと巾裁装置の間に、従来の２本のステーの他にもう１本の補助バーを追加し、補助バーの固定位置を変更する固定位置可変手段を設け、巾裁装置に供給される壁紙の経路（角度）を変えて張力を調節するもの、（特許文献２参照）、一対の棒状部材を互いに押圧する弾性部材を設け、棒状部材の間を移動する壁紙に張力を付与するもの、（特許文献３参照）及び、巾裁装置と固定された張力バーの間に、補助の張力ロールを設け、壁紙の移動経路を変えて張力を付加するか、あるいは、補助の張力ロールを壁紙の移動経路の外に逃がして、補助張力ロールによる張力を付加しない状態とを、選択的に使用するようにしたもの、（特許文献４参照）が知られている。
【特許文献１】実開平３−１０５９６３号公報
【特許文献２】特開平１０−１５６２４７号公報（１０〜１１頁、図１参照）
【特許文献３】特開平２００１−３４０７９５号公報（６〜８頁、図１参照）
【特許文献４】特開平２００３−２１１０６０号公報（３〜４頁、図１参照）
【発明の開示】
【発明が解決しようとする課題】
【０００４】
前記した従来技術に於いては、いずれも壁紙に付与される張力を変更するためには、作業者が取り付け位置を変えたり、部品そのものを取り替える等の作業をしなければならない。また、たとえ張力を変更し得ても、２段階または数段階まで非連続的に変更できるだけであり、壁紙の種類によって張力を変えたり、壁紙が多いときと残り少なくなったときとで、張力を変更する場合には、糊付作業を停止しなければならない。従って、原反ロールの残量の変化による張力の変化への対応はもとより、原反ロールの外形が例えば楕円状に変形したことに起因する解反時の振動を吸収するようなことには対応できない。
【課題を解決するための手段】
【０００５】
上記課題を解決するため、本発明の壁紙糊付機における張力付与装置は、原反ロールと壁紙糊付機本体間に設けられ、原反ロールから繰出される壁紙に張力を付与する壁紙糊付機における張力付与装置であって、張力付与装置は、定位置で回動するガイドローラーと、ガイドローラーとの間で、壁紙を交叉してガイドし、原反ロールから繰出される壁紙の引出し力の増減に連動して自動的に変位し、ガイドローラーとで壁紙に付与される張力を調整する回動部材であることを特徴とする。
【０００６】
また、回動部材は、原反ロールから繰出される壁紙の引出し力の増減に連動して変動し、ガイドローラーとの間隔を自動的に変更することを特徴とする。
【０００７】
また、回動部材は、一端が張力付与部材と係着し、回動支点を中心に回動する回動レバーに軸支され、壁紙に当接して、壁紙に常時張力を付与する回動ステーであることを特徴とする。
【０００８】
また、ガイドローラーの回転中心と回動レバーの回動支点を偏芯して設けたことを特徴とする。
【０００９】
また、ガイドローラーの回転中心と回動レバーの回動支点を同軸上に設けたことを特徴とする。
【００１０】
また、ガイドローラーの上部に、原反ロールから繰出される壁紙の引出し力の増減に連動して、ガイドローラーに対する接圧力を変更するブレーキ装置を設けたことを特徴とし、ブレーキ装置は、ガイドローラーの上方に設けられ、一端に回動支点を、他端に回動レバーとの間でバネ手段が張設されるブレーキレバーと、ブレーキレバーの中央部に設けられ、ガイドローラーと接触するブレーキシューであることを特徴とする。
【００１１】
また、ガイドローラーと回動ステー間で、壁紙が移動する間隔を残して回動ステーが停止するように、回動レバーの回動を停止するストッパーを設けたことを特徴とする。
【００１２】
また、回動ステーとガイドローラーが水平状態となる位置で、回動レバーの回動を停止するストッパーを設けたことを特徴とする。
【発明の効果】
【００１３】
本発明の壁紙糊付機の張力付与装置は、原反ロールの残量が多く（径が大きく）、壁紙を引き出すために、大きな引出し力が要求される時には、壁紙に付与する張力を減少させ、原反の残量が少なく（径が小さく）、小さな引出し力で引き出されている時には、壁紙に付与する張力を増加させて、巾裁装置へ送り込まれる壁紙に付与される張力の変化を少なくする作用を有する。
【００１４】
また、張力の量は、引出し力の大きさに従って自動的に変化するので、張力の調整のために糊付作業を停止して、特別な操作をする必要がない。
【００１５】
また、張力の量は、無段階に変化するので、外形が楕円状に変形した原反ロールでも振動が巾裁装置切断部や糊付機に及ぶことなく、解反することができる。
【００１６】
また、巾裁装置に送り込まれるときの壁紙に付与される張力の変化が少ないので、裁断時の壁紙の振動や左右のバラツキが少なくなり、巾裁断が正確に行われる。
【００１７】
また、糊付機本体に送り込まれる時の張力の変化も減少するため、糊付機本体の入り口のピンチローラーの回転を読みとって、測定される糊付長さの測定もより正確に行うことができる。
【００１８】
また、新しい原反ロールをセットする作業も、壁紙をローラー間にくぐらせて通せば良く、従来装置のように２本の張力付与ローラー間に挟み込むような作業を必要としない。
【００１９】
また、この張力付与装置は、巾裁装置のフレームに取り付けることができるので、原反ロールから解反された壁紙Ａに対して、壁紙の末端が巾裁装置に入る直前まで、壁紙Ａに張力を付与することができ、壁紙の末端近くまで裁断刃物により正確に巾裁断を行うことができる。
【発明を実施するための最良の形態】
【００２０】
（実施の形態１）
以下、本発明の実施の形態１の張力付与装置について、図１〜図３を参照して説明する。
【００２１】
図１は、実施の形態１の張力付与装置を設けた糊付機の全体構成を示す側面図である。
【００２２】
図２、図３は、原反ロールが重い（大きい）場合と、軽い（小さい）場合における張力付与装置の動作を示す部分拡大側面図である。
【００２３】
図１において、１は糊付機本体で、糊付部２、脚部３、巾裁装置４、張力付与装置５、脚部３に取設した原反ロール１６の支持部６を備える。７は巾裁装置４を支持する支持フレームで、本体フレーム８ａの壁紙供給側に取外し可能に設置される。糊付機本体１は、本体フレーム８ａと、本体フレーム８ａの上部で本体フレーム８ａに対して開閉可能に設けられた上部フレーム８ｂからなり、本体フレーム８ａには、糊箱９、送り出しローラー１０、糊付ローラー１１、均しローラー１２等のロールを備え、上部フレーム８ｂには、検尺ローラー１３、ハイテンションローラー１４、押えローラー１５等を備える。
【００２４】
次に、張力付与装置について、図２、３を参照して説明する。
【００２５】
図２、３において、１７は原反ロール１６から送られる壁紙Ａを張力付与装置５にガイドするためのステーで、脚部３間に架設される。１８はＬ型レバーで、前記した巾裁装置の左右の支持フレーム７の下部に設けられた回動支点である支持軸１９に軸架され、支持軸１９を中心に回動可能に設けられている。２０はＬ型レバー１８の折曲部の近傍で、支持軸２１でＬ型レバー１８に軸架され、Ｌ型レバー１８と一体に回動する回動ステー、２２はＬ型レバー１８の支持軸１９の上方で、Ｌ型レバー１８の回動支点と軸位置を偏芯して、前記支持フレーム７に設けられた支持軸２３に軸架されたガイドローラ、２４はＬ型レバー１８の折曲部の端部に設けたバネ掛け部、２５は前記バネ掛け２４と支持フレーム７の巾裁装置側に設けられたバネ掛け２６間に張設された引っ張りバネ、２７はガイドローラー２２との間で壁紙Ａの通る間隔を保つため、Ｌ型レバー１８の回動範囲を規制するストッパーである。
【００２６】
Ｌ型レバー１８の回動ステー２０側の端部近傍には、バネ掛け部２４が設けられており、巾裁装置４の左右のフレーム７に設けられたバネ掛け２６との間に張設された引っ張りバネ２５により、回動ステー２０は、支持軸１９を中心にして、上方に向けて付勢され、その結果回動ステー２０とガイドローラー２２との距離が縮まる方向に回動する。このように、回動ステー２０とガイドローラー２２の距離は、Ｌ型レバー１８の回動により変化させられる。回動ステー２０が回動し、回動ステー２０とガイドローラー２２との間隔が縮められても、壁紙が移動するために必要な隙間を保つ状態を維持するよう、ストッパー２７によりＬ型レバー１８の回動範囲が規制される。
【００２７】
このように構成された張力付与装置は、図１に示すように、原反ロール１６から引き出された壁紙Ａを、回動ステー２０の下方から上方に向けて巻回し、次に、ガイドローラー２２の下方から上方に向けて巻回し、巾裁装置４へと導き、さらに糊付機の上部フレーム８ｂを開き、糊付機内の所定の経路を通るようにセットする。
【００２８】
壁紙Ａは、糊付機の２本のピンチローラーである送り出しローラー１０と検尺ローラー１３に挟まれて引き上げられ、巾裁装置４で所定の巾寸法となるように壁紙Ａの左右の両端（耳）を裁断した後に、壁紙Ａは糊付けローラー１１の上面に圧接されて糊付けされ、目的とする糊付壁紙を得る構成となっている。
【００２９】
次に、本実施の形態の張力付与動作について説明する。
【００３０】
図２に示すように、原反ロール１６が重い場合や、原反ロール１６に壁紙が多く巻かれて、巻き径が大きい場合には、原反ロール１６から壁紙Ａを引き出すためには大きな引出し力ＰＬを必要とするため、回動ステー２０を引き下げる方向に回動させる力（図２のＦＬで示す）が働き、回動ステー２０及びＬ型レバー１８は、図２の２点鎖線の位置から実線の位置まで引っ張りバネ２５の力に抗して引き下げられて、支持軸１９を中心に回動し、その結果、壁紙は接触角αＬだけ回動ステー２０に接触した後、ガイドローラー２２に接触して巾裁装置４へ引き上げられる。
【００３１】
一方、原反ロールが軽い場合や原反ロール１６に巻かれる壁紙が減少し、原反ロール１６の巻き径が小さくなる場合には、原反ロール１６から壁紙Ａを引き出すためには、図３に示す小さな引出し力ＰＳでよく、回動ステー２０を引き下げる方向に回動させる力（図３のＦＳで示す）も小さいので、回動ステー２０はＬ型レバー１８の端部に係着する引っ張りバネ２５によって、引き上げられる。その結果、回動ステー２０に巻き付いた壁紙の接触角αＳは大きくなり、壁紙Ａは接触角αＳだけ回動ステー２０に接触し、大きな張力が付与された後、ガイドローラー２２に接触して巾裁装置４へ引き上げられる。
【００３２】
このとき回動ステー２０では、壁紙Ａの接触角は原反ロール１６の巻き径が小さくなるのに連動して、大きくなるので、接触角が大きくなる分だけ摩擦抵抗は大きくなり、巾栽装置４（スリッター）に送出される壁紙Ａの抵抗ＴＳは、壁紙が重い時のＴＬに近い値になるように調整される。
【００３３】
また、回動ステー２０を取り付けたＬ型レバー１８の回動の支点は、ガイドローラー２２の支持軸２３の中心に対し、偏芯して設けられているため、回動ステー２０が引き上げられるのに追従して、ガイドローラー２２と回動ステー２０の距離は、狭くなり、回動ステー２０での抵抗はより大きくなるようになっている。
【００３４】
従って、原反ロール１６から壁紙Ａを引き出す大きな引き出し力ＰＬと原反ロール１６から壁紙Ａを引き出す小さい引き出し力ＰＳの差、ＰＬ−ＰＳに対し、回動ステー２０及びガイドローラー２２を通過した後の壁紙の引き上げ力の差、ＴＬ−ＴＳは回動ステー２０での抵抗が大きくなる分だけ小さくなり、壁紙Ａにより均一な張力が付加されるようになる。
【００３５】
前記実施の形態１において、回動ステー２０の支持軸１９をガイドローラー２２の支持軸２３よりも下の位置とした。しかし、支持軸１９の位置は、この位置に限定されるものではなく、たとえば、ガイドローラー２２の中心と一致させることも出来る。そうすることにより、装置の構造をより簡単にすることができる。その場合は、Ｌ型レバー１８の回動によって、ガイドローラー２２と回動ステー２０の距離Ｄを変化させることはできないが、壁紙Ａと回動ステー２０の接触角αは、原反ロール１６からの引出し力により変化するので、壁紙Ａに付与する張力を変化させることができる。
【００３６】
壁紙Ａに張力を与えるために、回動ステー２０は左右のＬ型レバー１８に固定しておくことが必要であるが、ガイドローラー２２は支持軸２２の周りを回転できる構造にしておくことが好ましい。
（実施の形態２）
図４（ａ）（ｂ）を参照して、本発明の実施の形態２の張力付与装置について説明する。図２，図３の実施の形態１では、ガイドローラー２２の中心とＬ型レバー１８の支点は、偏芯している形態のものとして説明したが、本実施の形態は、図４に示すように、Ｌ型レバー１８の支持軸１９を、ガイドローラー２２の支持軸２３をガイドローラー２２の支持軸の中心と一致させた実施の形態としたものである。詳しくは、ガイドローラー２２を支持軸２３に通し、ガイドローラー２２をベアリング３５を介して支持軸２３に回転可能に軸支し、支持軸２３をＬ型レバー１８の回動支点１９の軸心として、Ｌ型レバー１８が支持軸２３で回動するようにした構成を特徴とする。
（実施の形態３）
本実施の形態は、実施の形態１のガイドローラー２２の上部にＬ型レバー１８の回動に連動した、ガイドローラー２２に対する接圧力を変更するブレーキ装置を設けたことを特徴とする。
【００３７】
以下図５を参照して、本発明の実施の形態３の張力付与装置について説明する。
【００３８】
図５において、２８はガイドローラー２２の上方に設けられた左右一対のブレーキレバーで、一端は巾裁装置支持フレーム７に支点２９で軸支され、他端には、Ｌ型レバー１８の端部に設けたバネ掛け３３との間で、引っ張りバネ３４を張設するバネ掛け部３２を備える。３０はブレーキレバー２８の中央部に、端部が支点３１で回動可能に設けられたブレーキシューで、ブレーキシュー３０の他端は八字状に拡がり、その内側はガイドローラー２２の両端近傍の上面と接触する。
【００３９】
本実施の形態では、フレーム７に取り付けた支点２９を回動中心として回動するブレーキレバー２８に設けたバネ掛け部３２と、Ｌ型レバー１８の端部に設けたバネ掛け３３との間に引っ張りバネ３４を設け、ブレーキレバー２８の端部に加わる付勢力をＬ型レバー１８の動きに連動して変化させるようになっており、ブレーキレバー２８に取り付けたブレーキシュー３０は、ガイドローラー２２の外周に、引っ張りバネ３４のバネ圧を介して接触するようになっている。引っ張りバネ２５は、引っ張りバネ３４に対して、充分大きなバネ定数を持つものとなっており、また、ガイドローラー２２はその支持軸２３の周りを自由に回転できる構造となっている。このブレーキ装置は、支持フレーム７の左右に各１組設けられ、ブレーキシュー３０はそれぞれガイドローラー２２の両端近くに接触している。この構造により、原反ロールからの引き出し力Ｐが小さいと、Ｌ型レバー１８の端部は、引っ張りバネ２５により、上方に引き上げられ、Ｌ型レバー１８の他端に設けられたバネ掛け３３は下方に回動するため、ブレーキレバー２８の付勢力は大きくなり、これにより、壁紙Ａにガイドローラー２２から付与される張力は、原反ロールの引き出し力Ｐの小さいときほど大きくなるので、原反ロールの外形が変化しても、巾裁装置に供給される壁紙Ａの張力Ｔの変化は、実施の形態１、２に記載した張力付与装置より更に小さなものとなる。
（実施の形態４）
本実施の形態は、Ｌ型レバー１８の回動を停止するストッパー２７の他に、図６に示すように、回動ステー２０とガイドローラー２２が水平状態となる位置で、Ｌ型レバー１８の回動を停止するストッパー２７ａを設けたことを特徴とする。
【００４０】
本実施の形態によると、Ｌ型レバー１８が矢印Ｒの方向に回動すると、ストッパー２７ａに当接し、回動ステー２０とガイドローラー２２がほぼ水平な位置関係になる状態で停止する。この状態で原反ロール１６から引き出した壁紙Ａを回動ステー２０とガイドローラー２２に間を通して巾裁装置４にセットし、その後に、Ｌ型レバー１８を矢印Ｌの側に回転させ、ストッパー２７に当接するまで戻すことで、新しい原反ロール１６から引き出した壁紙Ａのセットを容易に行うことができる。
【産業上の利用可能性】
【００４１】
本発明の壁紙糊付機における張力付与装置は、壁紙の引き出し力の増減により、自動的に壁紙に付与される張力を調整できるため、シート状物の糊付機において有用である。
【図面の簡単な説明】
【００４２】
【図１】本発明の実施の形態１の壁紙糊付機を示す全体側面図。
【図２】図１の張力付与装置の原反ロールの重い場合の部分拡大側面図。
【図３】図１の張力付与装置の原反ロールの軽い場合の部分拡大側面図。
【図４】本発明の実施の形態２の張力付与装置を示し、（ａ）は側面図、（ｂ）は（ａ）のＡ−Ａ断面図。
【図５】本発明の実施の形態３の張力付与装置を示す側面図。
【図６】本発明の実施の形態４の張力付与装置を示す側面図。
【図７】従来の張力付与装置を示す側面図。
【符号の説明】
【００４３】
１    糊付機本体
２    糊付部
３    脚部
４    巾裁装置
５    張力付与装置
６    原反ロール支持部
７    巾裁装置支持フレーム
８ａ  本体フレーム
８ｂ  上部フレーム
９    糊箱
１０    送り出しローラー
１１    糊付けローラー
１２    均しローラー
１３    検尺ローラー
１４    ハイテンションローラー
１５    押えローラー
１６    原反ロール
１７    ステー
１８    Ｌ型レバー
１９    支持軸
２０    回動ステー
２１    支持軸
２２    ガイドローラー
２３    支持軸
２４    バネ掛け部
２５    引っ張りバネ
２６    バネ掛け
２７    ストッパー
２８    ブレーキレバー
２９    支点
３０    ブレーキシュー
３１    支点
３２    バネ掛け
３３    バネ掛け
３４    引っ張りバネ
【図１】
2006159496.tif 000003
【図２】
2006159496.tif 000004
【図３】
2006159496.tif 000005
【図４】
2006159496.tif 000006
【図５】
2006159496.tif 000007
【図６】
2006159496.tif 000008
【図７】
2006159496.tif 000009